(57)【要約】クロスフロートレーを支持システムと共に提供する。支持システムは、上方クロスフロートレーと下方クロスフロートレーのダウンカマーを相互連結して、上方トレーに対する支持を提供する。いくつかの態様では、支持システムはまた、下方クロスフロートレーのダウンカマーと下側の対の上方トレーを相互連結してよく、アセンブリに対する追加の支持を提供する。そのようなトレーアセンブリは、カラムの性能を妨げることなく、より容易な取付けを促進することができる。【選択図】図２
2015513468.tif 000002
【特許請求の範囲】
【請求項１】
物質移動カラムの中で使用するためのトレーアセンブリであって、
第１の概ね平坦な上方トレーデッキ及び該第１の上方デッキから液体を除去するための少なくとも１つのダウンカマーを備える第１の上方クロスフロートレーと、
前記第１の上方トレーから垂直に離間配置された第１の下方クロスフロートレーであって、該第１の下方トレーが、第１の概ね平坦な下方トレーデッキと、前記第１の上方トレーから液体を受容するための、前記第１の上方トレーの前記ダウンカマーに近接して配置された入口領域と、を備え、前記第１の下方トレーが、さらに、前記下方デッキから液体を除去するための、前記下方デッキの中央又はその近傍に配置された少なくとも１つの中央に位置するダウンカマーを備え、該中央に位置するダウンカマーが、前記第１の下方デッキを横切る液体流方向に対して概ね垂直な方向に延在する、離間した一対の平行な壁部を備える、第１の下方クロスフロートレーと、
前記第１の上方トレーと前記第１の下方トレーとの間に少なくとも部分的に配置された支持システムであって、該支持システムが、前記中央に位置するダウンカマーの前記一対の壁部に連結されかつそれらの間に延在する複数の水平方向に離間配置されたブレースと、前記上方デッキの下面に連結された支持ビームと、該支持ビームと前記複数のブレースのそれぞれとに連結されかつそれらの間に延在する複数の長尺な壁体部材と、を備える、支持システムと、を備える、トレーアセンブリ。
【請求項２】
さらに、前記第１の下方トレーの下に垂直に離間配置された第２の上方クロスフロートレーを備え、該第２の上方トレーが、第２の上方トレーデッキ、及び前記中央に位置するダウンカマーに近接して配置された入口領域を備え、前記中央に位置するダウンカマーの前記一対の壁部の下端が、前記第２の上方デッキの前記入口領域から離間配置され、これにより液体が前記中央に位置するダウンカマーから前記第２の上方デッキの前記入口領域上に流れ込めるようにするためのギャップを定義する、請求項１に記載のトレーアセンブリ。
【請求項３】
前記支持システムが、さらに、前記中央に位置するダウンカマーの前記一対の壁部の間に延在しかつ前記一対の壁部の下部に連結される複数の水平方向に離間した下方ブレースを備え、該複数の下方ブレースもまた、前記第２の上方トレーの前記第２の上方デッキに連結される、請求項２に記載のトレーアセンブリ。
【請求項４】
前記複数の下方ブレースの少なくとも一部が、前記中央に位置するダウンカマーの前記一対の壁部の下端よりも下まで延在する、請求項３に記載のトレーアセンブリ。
【請求項５】
さらに、前記中央に位置するダウンカマーの前記一対の壁部の下端に連結されかつそれらの間に延在し、前記中央に位置するダウンカマーの下方開口部の少なくとも一部を覆う多孔シールプレートを含み、前記複数の下方ブレースが、前記中央に位置するダウンカマーの前記一対の壁部の下端よりも下に配置され、前記中央に位置するダウンカマーの前記一対の壁部と前記第２の上方トレーの前記第２の上方デッキを相互連結する、請求項３に記載のトレーアセンブリ。
【請求項６】
前記中央に位置するダウンカマーの前記一対の壁部が、上方及び下方部分を含み、
さらに、前記中央に位置するダウンカマー内に配置されて前記一対の壁部の前記上方及び下方部分の両方と連結される複数の方形に枠組みされたブレースを含み、該複数の方形に枠組みされたブレースもまた、前記第２の上方トレーの前記第２の上方デッキに連結される、請求項２に記載のトレーアセンブリ。
【請求項７】
さらに、少なくとも一対のアンカータブを含み、アンカータブの各対が、前記支持ビームと連結された上方アンカータブと、前記第２の上方トレーの前記第２の上方デッキと連結された下方アンカータブと、を含み、前記少なくとも一対のアンカータブの内の前記上方及び下方アンカータブが、前記中央に位置するダウンカマーの延在方向に沿って互いに千鳥状に配置され、
さらに、前記少なくとも一対のアンカータブの内の前記上方及び下方アンカータブの間に斜めに延在する少なくとも１つの横断支持部材を含む、請求項２に記載のトレーアセンブリ。
【請求項８】
前記長尺な壁体部材もまた、前記上方アンカータブと連結される、請求項７に記載のトレーアセンブリ。
【請求項９】
さらに、前記少なくとも一対のアンカータブと同様に千鳥状に配置された第２の対のアンカータブを含み、
さらに、前記少なくとも一対のアンカータブの前記上方アンカータブと前記第２の対のアンカータブの下方アンカータブとの間に延在する、逆方向に延在する横断支持部材を含み、前記長尺な壁体部材が、前記少なくとも１つの横断支持部材と前記逆方向に延在する横断支持部材との間に配置される、請求項８に記載のトレーアセンブリ。
【請求項１０】
前記支持ビームが、下方フランジと、上方フランジと、それらの間に配置される垂直部と、を含み、前記第１の上方トレーの前記第１の上方デッキが、複数のデッキパネルを備え、前記支持ビームの前記上方フランジが、前記複数のデッキパネルの少なくとも一部の下面に固定される、請求項１に記載のトレーアセンブリ。
【請求項１１】
前記複数のデッキパネルの少なくとも一部が、その前記下面から下向きに延在する補強フランジを備え、前記支持ビームの前記上方フランジが、前記補強フランジを収容するように構成された複数の切欠きを含む、請求項１０に記載のトレーアセンブリ。
【請求項１２】
前記複数のデッキパネルが、前記上方トレーデッキの一方の末端部からその中央まで延在する第１のグループのデッキパネルと、前記上方トレーデッキの他方の末端部からその前記中央まで延在する第２のグループのデッキパネルと、を備え、前記第１グループ内の前記複数のデッキパネルの終端部の少なくとも一部が、前記上方トレーデッキの中心線で前記複数のデッキパネルの終端部の少なくとも一部に隣接するかつ／又は重なり合うように構成される、請求項１０に記載のトレーアセンブリ。
【請求項１３】
前記支持ビームが、上下に延在する表面を定義する上下に長尺なビームを備え、前記上下に延在するものは、前記中央に位置するダウンカマーの前記一対の壁部の間に定義される空隙の中に下向きに延在し、前記上下に延在する表面が、前記上下に延在するプレートの水平伸長方向に沿って離間配置された１つ以上の抜き孔を含む、請求項１に記載のトレーアセンブリ。
【請求項１４】
さらに、２つの隣接する長尺な壁体部材の間に配置される少なくとも１つのアンチジャンプバッフルを備え、前記アンチジャンプバッフルが、１つ以上の取付けフランジを用いて前記隣接する壁体部材に連結される上下に延在するプレートを備え、前記上下に延在するプレートが、前記中央のダウンカマーの中心線に沿って配置される、請求項１に記載のトレーアセンブリ。
【請求項１５】
取付けフランジが、くの字型取付けフランジを備え、前記長尺な壁体部材の少なくとも一部が、前記中心線から外れて配置される、請求項１４に記載のトレーアセンブリ。
【請求項１６】
前記第１の下方トレーが、さらに、前記下方トレーデッキ上の液体高さを維持するための、前記入口領域に近接して配置される入口堰を備え、前記入口堰の上端が、前記アンチジャンプバッフルの前記上下に延在するプレートの下端とほぼ同じ垂直高度に位置する、請求項１４に記載のトレーアセンブリ。
【請求項１７】
さらに、前記支持ビームの少なくとも１つの終端部に配置された１つ以上の下向きに延在するナイフ縁部を備える、請求項１に記載のトレーアセンブリ。
【請求項１８】
前記ダウンカマーの壁部が、上方壁部部分及び下方壁部部分を含む、請求項１に記載のトレーアセンブリ。
【請求項１９】
前記下方壁部部分が、物質移動カラム内の前記トレーアセンブリの取付け時に調整可能に構成される、請求項１８に記載のトレーアセンブリ。
【請求項２０】
前記ダウンカマーの壁部の前記下方壁部部分が、傾斜する、請求項１８に記載のトレーアセンブリ。
【請求項２１】
中央に位置するダウンカマーが、前記下方クロスフロートレーの中心線に位置する、請求項１に記載のトレーアセンブリ。
【請求項２２】
開放内部容積を定義する外側カラムシェルと、
該シェルの該開放内部容積内に配置された、少なくとも１つの請求項１に記載のクロスフロートレーアセンブリと、を備える物質移動カラム。
【発明の詳細な説明】
【技術分野】
【０００１】
発明の背景
本発明は、一般に物質移動及び／又は熱交換プロセスが発生する物質移動カラムで使用されるクロスフロートレー、特に、そのようなクロスフロートレーを支持する装置及び方法に関する。
【背景技術】
【０００２】
クロスフロートレーは、物質移動カラム内で使用されて、カラム内で逆流関係に流れる流体流間の相互作用を促進する。本明細書で使用される用語、物質移動カラムは、物質移動がカラム内での流体流の処理の主目的であるカラムに限定することを意図するものではなく、物質移動よりもむしろ熱伝達が処理の主目的であるカラムを包含することも意図する。流体流は、概して上昇蒸気流及び下降液体流であり、その場合クロスフロートレーは一般に、蒸気−液体クロスフロートレーと呼ばれる。いくつかの用途では、流体流が両方とも液体流であり、クロスフロートレーは一般に、液体−液体クロスフロートレーと呼ばれる。更に他の用途では、上昇流体流はガス流であり、下降流体流は液体流であり、その場合クロスフロートレーはガス−液体クロスフロートレーと呼ばれる。
【０００３】
クロスフロートレーは垂直に離間した関係にあるカラム内に、カラムの内部断面全体を満たすように各トレーデッキが水平に延在して配置される。各クロスフロートレーは、上昇流体流と下降流体流との間の相互作用が上及び上方で発生する平面的なトレーデッキと、所望の物質移動及び／又は熱交換が発生する泡又は混合物を作製するための、トレーデッキを通り下降流体流に入る上昇流体流の上方通過を可能にする複数の開口部と、関連するトレーデッキから下側クロスフロートレー上のトレーデッキへ下降流体流を移動させる少なくとも１つのダウンカマーと、を有する。上側クロスフロートレーのダウンカマーから下降流体流を受容するトレーデッキの一部は概して、無孔であるか又はバブルプロモータ若しくは上昇流体流の上方通過を可能にするが下降流体流が入口パネルを通って漏れるのを妨げる他の構造体を備える、入口パネルを備える。
【０００４】
トレーデッキの１つの末端部に配置された単一の側部ダウンカマーを有するクロスフロートレーは、シングルパストレーとして既知である。他の用途、概してより高い下降液体流量に関わるものでは、複数のダウンカマーがクロスフロートレーの一部又は全てで使用されてよい。例えば、２パス構成では、２つの側部ダウンカマーは１つのクロスフロートレーの反対側の末端部に配置され、単一の中央ダウンカマーは隣接するクロスフロートレーの中央に配置される。４パス構成では、１つのクロスフロートレーは、２つの側部ダウンカマー及び１つの中央ダウンカマーを有し、隣接した接触トレーは、２つのオフセンターダウンカマーを有する。
【０００５】
クロスフロートレーのトレーデッキは、概して、カラムシェルの内面に溶接された支持リングにクランプによって固定される。ダウンカマー壁部はまた、通常カラムシェルの内面に溶接されるボルト止めバーと反対側の末端部にボルト止めされている。いくつかの用途では、より大きな直径のカラム及び起振力が懸念されるカラムなどで、クロスフロートレーのトレーデッキを真上又は真下に位置する同様のトレーのダウンカマーの壁部に接続するための主要ビーム、格子トラス、又はハンガーシステムから上方に延在する壁体を使用することによって、トレーデッキの一部に更なる支持を追加することは既知である。ハンガーを利用するとき、ダウンカマーの壁部はビームとしての機能を果たし、連結したトレーの荷重の一部を支え、これにより、たわみを減少させ、トレーデッキの浮き上がりに備え補強する。これらのハンガー及び他の構造体は、しかしながら、設計に複雑さを加え、クロスフロートレーの製造及び取り付けのコストを増大させる。
【０００６】
他の用途では、トレーデッキの入口パネルは、構造ビームとして形成され、トレーデッキに対する追加の支持を提供する。次に、入口パネルは、様々なタイプの締結具を使用してトレーデッキの隣接した部分に相互連結される必要があり、したがってトレーデッキの設計及び取り付けに複雑さを加える。
【発明の概要】
【発明が解決しようとする課題】
【０００７】
このように、より大きな直径のカラム及び起振力が存在するカラムで追加の支持を提供する従来の方法による不利益を低減しながら、トレーデッキを支持し補強する方法に対する必要性が生じてきた。
【課題を解決するための手段】
【０００８】
発明の要旨
一態様では、本発明は、物質移動カラムで使用するためのトレーアセンブリを目的とする。トレーアセンブリは、第１の概ね平坦な上方トレーデッキ及び第１の上方デッキから液体を除去するための少なくとも１つのダウンカマーを備える第１の上方クロスフロートレーと、第１の上方トレーから垂直に離間配置された第１の下方クロスフロートレーと、を備える。第１の下方トレーは、第１の概ね平坦な下方トレーデッキと、第１の上方トレーから液体を受容するために第１の上方トレーのダウンカマーに近接して配置された入口領域と、を備える。第１の下方トレーは、さらに、下方デッキから液体を除去するための、下方デッキの中央又はその近傍に配置された少なくとも１つの中央に位置するダウンカマーを備え、この中央に位置するダウンカマーは、第１の下方デッキを横切る液体流方向に対して概ね垂直な方向に延在する、離間した一対の平行な壁部を備える。トレーアセンブリはまた、第１の上方トレーと下方トレーとの間に少なくとも部分的に配置された支持システムを備える。支持システムは、中央に位置するダウンカマーの一対の壁部に連結されかつそれらの間に延在する複数の水平方向に離間配置されたブレースと、上方デッキの下面に連結された支持ビームと、支持ビームと複数のブレースのそれぞれとに連結されかつそれらの間に延在する複数の長尺な壁体部材と、を備える。
【０００９】
別の態様では、本発明は、開放内部容積を定義する外側カラムシェルと、シェルの開放内部容積内に配置された上述の少なくとも１つのクロスフロートレーアセンブリと、を備える物質移動カラムを目的とする。
【図面の簡単な説明】
【００１０】
【図１】物質及び／又は熱移動が発生することが意図される、本発明の上方及び下方クロスフロートレーを示すためにカラムシェルの一部が切り取られた、物質移動カラムの側面図である。
【図２】上方及び下方クロスフロートレーを示すためにカラムシェルの部分が切り取られた、図１に示す物質移動カラムの上面の部分拡大斜視図である。
【図３】図２に示す一対の上方及び下方クロスフロートレーの、ただし下部の視点から取られた下面の部分斜視図である。
【図４】図２に示す上方及び下方クロスフロートレーの部分拡大側面図である。
【図５】水平断面で取られた上方クロスフロートレー用の支持システムの一部を示す、部分拡大平面図である。
【図６】支持システム及び中央ダウンカマーの上面の斜視図である。
【図７】支持システム及び中央ダウンカマーの下面の斜視図である。
【図８】本発明の下方クロスフロートレーの第２の実施形態を示すためにカラムシェルの部分が切り取られた、物質移動カラムの側面の部分斜視図である。
【図９】下方クロスフロートレーの第２の実施形態の中央ダウンカマーと共に使用される支持システムの別の実施形態の上面の斜視図である。
【図１０】本発明の下方クロスフロートレーの第３の実施形態を示すためにカラムシェルの部分が切り取られた、物質移動カラムの側面の部分斜視図である。
【図１１】本発明の下方クロスフロートレーの第３の実施形態の中央ダウンカマーと共に使用される支持システムの別の実施形態の上面の斜視図である。
【図１２】本発明の下方クロスフロートレーの第４の実施形態、及び上方クロスフロートレーの第２の実施形態を示すためにカラムシェルの部分が切り取られた、物質移動カラムの側面の部分斜視図である。
【図１３】本発明の下方クロスフロートレーの第４の実施形態の中央ダウンカマーと共に使用される支持システムの別の実施形態の上面の斜視図である。
【図１４】本発明の下方クロスフロートレーの第５の実施形態を示すためにカラムシェルの部分が切り取られた、物質移動カラムの側面の部分斜視図である。
【図１５】本発明の下方クロスフロートレーの第６の実施形態を示すためにカラムシェルの部分が切り取られた、物質移動カラムの側面の部分斜視図である。
【発明を実施するための形態】
【００１１】
詳細な説明
次に図面をより詳しく、最初に図１について検討すると、物質移動及び／又は熱交換が逆流する流体流間で発生することが意図されるプロセスで使用するのに好適な物質移動カラムは、全体にわたって番号１０で示す。物質移動カラム１０は、例えば水平などの他の向き、及び多角形を含む形状が可能であり、本発明の範囲内であるが、概ね円筒形の形状である直立の外部シェル１２を含む。シェル１２は、任意の好適な直径及び高さを持ち、不活性であることが望ましいか、又はそうでなければ物質移動カラム１０の稼働中に存在する流体及び条件と適合性がある１つ以上の硬質材料で構成される。
【００１２】
物質移動カラム１０は、分留製品を得るため並びに／又は流体流間で物質移動及び／若しくは熱交換を他の方法で引き起こすために、流体流、典型的には液体流及び蒸気流の処理に使用されるタイプのものである。例えば、物質移動カラム１０は、原油常圧、潤滑油減圧、原油減圧、流体又は熱分解分留、コーカー又はビスブレーカの分留、コークス洗浄、原子炉オフガス洗浄、ガス焼入れ、食用油脱臭、汚染防止洗浄、及び他のプロセスが生じるものであってよい。
【００１３】
物質移動カラム１０のシェル１２は、流体流間で望ましい物質移動及び／又は熱交換が発生する開放内部領域１４を定義する。通常は、流体流は１つ以上の上昇蒸気流及び１つ以上の下降液体流を含む。あるいは、流体流は上昇及び下降両方の液体流、又は上昇ガス流及び下降液体流を含んでよい。
【００１４】
流体流は、物質移動カラム１０の高さに沿って適切な場所に配置された任意の数のフィードライン１６を通って物質移動カラム１０へ移動する。１つ以上の蒸気流はまた、フィードライン１６を通って物質移動カラム１０に取り入れられるのではなく物質移動カラム１０内で生成され得る。物質移動カラム１０はまた、典型的に、蒸気製品又は副産物を除去するための架空ライン１８、及び液体製品又は副産物を物質移動カラム１０から除去するための底流分岐ライン２０を含む。例えば、還流ライン、リボイラー、コンデンサー、蒸気ホーンなどの典型的に存在する他のカラム構成要素は、従来本質的なものであり、これらの構成要素の図が本発明の理解のために必要であるとは考えられないため、図面に例示されていない。
【００１５】
また、図２及び３を検討すると、本発明によって構成される任意の所望の数の上方クロスフロートレー２２及び下方クロスフロートレー２４の対は、物質移動カラム１０の開放内部領域１４内に互いに対し上下方向に離間した関係で配置される。各上方クロスフロートレー２２は、概ね平坦なトレーデッキ２６並びにトレーデッキ２６の両端に配置された２つの側部ダウンカマー２８及び３０を備える。トレーデッキ２６は、任意の様々な従来の方法を使用して結合された個々のパネル３２から形成される。パネル３２は、トレーデッキ２６の１つの末端部から他の末端部の方向に縦方向に延在する。一実施形態では、パネル３２の大部分又は全ては、トレーデッキ２６の末端部間を連続的に延在する。他の実施形態では、パネル３２の大部分又は全ては、トレーデッキ２６の末端部からそれらのパネルが従来の形態で結合されたトレーデッキの中心線まで延在する。パネル３２の一部又は全ては、パネル３２から垂直下方に、典型的には各パネル３２の長手方向縁部の１つに沿って延在する補強フランジ３４を含む。
【００１６】
トレーデッキ２６の大部分は、トレーデッキ２６の上面に沿って移動する液体流との相互作用のために、上昇蒸気流、ガス流、又は液体流がトレーデッキ２６を通過可能にする開口部３６を含む。開口部３６は、単純なふるいの孔若しくは方向ルーバーの形状であり得るか、又は固定バルブ若しくは稼働バルブなどの構造体を含んでよい。開口部３６を包含するトレーデッキ２６の部分は、クロスフロートレー２４のアクティブ領域として既知である。トレーデッキ２６の中央部分は、無孔であり、上側液体分配器（図示されない）又は上側の１つの下方クロスフロートレー２４の中央ダウンカマー４０から下向きに流れる液体を受容するための、入口領域３８として機能する。入口領域３８は、バブルプロモータ又は上昇流体流がトレーデッキ２６の中央部分を上向きに通過することを可能にする他の構造体を含んでよい。
【００１７】
クロスフロートレー２４は同様に、相互連結された個々のパネル４４から形成され、上述のタイプの開口部３６を含むトレーデッキ４２を備える。パネル４４は、長手方向縁部に沿って下向きに延在する補強フランジ４６を包含する。下方クロスフロートレー２４のトレーデッキ２６の両末端部は、通常無孔であり、入口領域４８及び５０として機能し、上方クロスフロートレー２２から側部ダウンカマー２８及び３０を通って下向きに流れる液体を受容する。入口領域４８及び５０は、バブルプロモータ又は上昇流体流がトレーデッキ４２の末端部を上向きに通過することを可能にする他の構造体を含んでよい。
【００１８】
下方クロスフロートレー２４は、末端部からトレーデッキ４２の中央に向かって流れる液体を受容し、次の下側の上方及び下方クロスフロートレー２２及び２４の対における上方クロスフロートレー２２の入口パネル３８に供給する中央ダウンカマー４０を含む。
【００１９】
各クロスフロートレー２４内の中央ダウンカマー４０は、物質移動カラム１０内の開放内部領域１４を横切って弦状に延在する、離間した一対の平行な壁部５２を備える。各壁部５２は、上方及び下方クロスフロートレー２２及び２４の取り付け中に、互いに関連して上下に調整することができる上方壁部セグメント５４及び下方壁部セグメント５６を備える。各壁部５２の反対側の末端部は、シェル１２の内面に溶接されるボルト止めバー（図示されない）にボルト止めされている。
【００２０】
複数の水平方向に離間した上方ブレース５８は、補強及び中央ダウンカマー４０の壁部５２間の所望の間隔の維持のため、中央ダウンカマー４０の上方壁部セグメント５４の間に垂直に延在し、上方壁部セグメント５４にボルト止めされる。複数の同様の水平方向に離間した下方ブレース６０は、下方壁部セグメント５６の間に垂直に延在し、下方壁部セグメント５６にボルト止めされる。下方ブレース６０はまた、補強の働きをし、壁部５２間の所望の間隔を維持する。下方ブレース６０は、下方壁部セグメント５６の下端よりも下まで延在して、下側の上方クロスフロートレー２２のトレーデッキ２６に載置され、ボルト止めされる。このように、下方ブレース６０は、中央ダウンカマー４０の壁部５２と下側の上方クロスフロートレー２２のトレーデッキ２６を相互接続して、中央ダウンカマー４０に対する支持を提供し、下方壁部セグメント５６の下端と下側の上方クロスフロートレー２２のトレーデッキ２６との間で所望の上下間隔を維持する。
【００２１】
本発明に従って、更に図４〜６を検討すると、支持システム６２は、対になる下方クロスフロートレー２４の中央ダウンカマー４０と共に、１つ以上の上方クロスフロートレー２２のトレーデッキ２６の中央部分の相互接続及び支持を提供する。支持システム６２は、上方ブレース５８と、ボルト止め、ないしは別の方法で上方ブレース５８に固定され、そこから上向きに延在する長尺な壁体６４と、ボルト止め、ないしは別の方法で各壁体６４の上端部に固定された水平に延在するビーム６６と、を備える。壁体６４は、曲げられた金属の台又は必要な強度、剛性、物質移動カラム１０内の条件との適合性を有する他の好適な材料から形成される。壁体６４の数、及び隣接する壁体６４間の水平間隔の数は、変えることができ、対象とする用途で予期される荷重及び起振力に基づき選択される。
【００２２】
ビーム６６は同様に、金属又は他の好適な材料から形成され、一実施形態では、垂直セグメント６８と、垂直セグメント６８の上端から同一方向に垂直に延在する上方フランジ７０と、垂直セグメント６８の下端から反対方向に垂直に延在する下方フランジ７２と、を備える。切欠き７４（図６）は、上方クロスフロートレー２２のトレーデッキ２６内の個々のパネル３２の補強フランジ３４を収容するため、上方フランジ７０及び垂直セグメント６８の一部で離間した位置に提供される。あるいは、切欠き７４は、ビーム６６と重なり合うトレーデッキ２６の部分内の補強フランジ３４を除去することによって省略され得る。トレーデッキ２６のパネル３２は、ビーム６６に載置され、ボルト止め、ないしは別の方法でビーム６６の上方フランジ７０に固定される。取り付けの際にトレーデッキ２６を水平にするために、１つ以上の壁体６４の下端と壁体６４が取り付けられる上方ブレース５８のフランジとの間に、シムが配置され得る。
【００２３】
アンチジャンプバッフル７６は、壁体６４の間に延在し、ボルト止め、ないしは別の方法で壁体６４に取り付けられる。アンチジャンプバッフル７６は、液体及び濃密な泡が中央ダウンカマー４０に入らずに飛び越えるのを妨げる働きをする。アンチジャンプバッフル７６は、それらの下端が中央ダウンカマー４０への入口でトレーデッキ４２に配置された堰７８の上端とおおまかに同じ水平高度であるように配置される。アンチジャンプバッフル７６は、液体及び濃密な泡が中央ダウンカマー４０を飛び越えるのを阻止するのに十分な高さを有する一方で、それと同時に蒸気がアンチジャンプバッフル７６の上を容易に流れるようにするため、各アンチジャンプバッフル７６の上端が上側の上方クロスフロートレー２２の下に十分な距離で離間配置されることを可能にする。
【００２４】
各アンチジャンプバッフル７６は、上下方向に延在するプレート８０と、プレート８０の上端及び／又は下端における強化フランジ８２と、図５に最も良く示される、プレート８０の各側縁部に沿って配置された、くの字型取付けフランジ８４と、を備える。取付けフランジ８４は、壁体６４と重なり合って、ボルト止め、ないしは別の方法で壁体６４に固定される。取付けフランジ８４のくの字型構成体は、プレート８０及び壁体６４が中央ダウンカマー４０の長手方向中心線に沿って配置されるのを可能にする。あるいは、取付けフランジ８４においてくの字型構成体を必要とせずにプレート８０を中心線に沿って配置することができるように、壁体６４を中心線からわずかにずらすことができる。
【００２５】
支持システム６２が、上方及び下方クロスフロートレー２２と２４を相互連結し、下方クロスフロートレー２４の中央ダウンカマー４０を使用して、上方クロスフロートレー２２の中央部分を支持するように機能することを見ることができる。支持システム６２では、上方クロスフロートレー２６のトレーデッキ２６において、支持ビームとして機能し、パネル３２と相互連結される必要がある別個の入口パネルを有することは不要である。支持システム６２を使用してトレーデッキ２６の中央において支持を提供することは、パネル３２の一部又は全てが一体成形としてトレーデッキ２６の末端部から末端部に及ぶことを可能にし、それによって、トレーデッキ２６の設計及び取り付けを著しく簡略化する。あるいは、パネル３２の一部又は全ては、トレーデッキ２６の末端部から中央まで延在してよく、それらはトレー２６の中央まで他の末端部から延在するパネル３２と隣接するか又は重なり合ってよい。パネル３２との隣接又は重なり合いは、次にボルト止め、ないしは別の方法でパネル３２の下にあるビーム６６に固定される。
【００２６】
支持システム６２によって相互連結される上方及び下方クロスフロートレー２２及び２４はまた、中央ダウンカマー４０をトレーデッキ２６及び／又は下側の上方及び下方クロスフロートレー２２及び２４の対と関連付けられた支持システム６２のビーム６６に連結する下方ブレース６０によって、下側の上方及び下方クロスフロートレー２２及び２４の対に相互連結される。上方及び下方クロスフロートレー２２及び２４をこのように相互連結して支持することによって、上方及び下方クロスフロートレー２２及び２４は、カラム１０の稼働中に加えられる荷重及び起振力により十分に耐えることができる。トレーデッキ２６及び４２は、したがって、そのような稼働中に水平なまま、静止している可能性が高い。
【００２７】
支持システム６２を様々な構成体の中央ダウンカマーと共に使用する、又は使用するように容易に適合することができる。例えば、図８及び９では、支持システム６２は、図１〜４及び６〜８に例示した下方クロスフロートレー２４の中央ダウンカマー４０と関連付けられる垂直ダウンカマー壁部５２ではなく、傾斜したダウンカマー壁部１５２を備える中央ダウンカマー１４０を有する下方クロスフロートレー１２４と共に使用される。他のあらゆる点において、図８及び９の下方クロスフロートレー１２４は、前に記載した下方クロスフロートレー２４と同一の構成を有してよく、前に数字「１」が付いた同じ参照番号を、同様の構成要素を参照するために使用する。
【００２８】
次に図１０及び１１を検討すると、上方及び下方クロスフロートレー２２２及び２２４並びに支持システム２６２が示され、図１〜４及び６〜８に示す上方及び下方クロスフロートレー２２及び２４並びに支持システム６２と次の点で異なる。上方クロスフロートレー２２２の外側パネル２２６以外のすべてのパネル２２６は、側部ダウンカマー２２８及び２３０からトレーデッキ２２６の中心線に延在し、そこで支持システム２６２のビーム２６６に隣接して、ボルト止めされる。パネル２２６が中心線で隣接するため、補強フランジ２３４をビーム２６６の領域で除去することができ、したがって、ビーム２６６は、補強フランジ２３４用の切欠きを含む必要はない。中央ダウンカマー２４０は、ダウンカマー壁部２５２の上方及び下方壁部セグメント２５４及び２５６の両方にボルト止めされるのに十分な高さを有する、追加の方形に枠組みされたブレース２８６を含む。これらの追加のブレース２８６は、互いから、並びに上方ブレース２５８及び２６０から、所定の間隔で離間している。他のあらゆる点において、上方及び下方クロスフロートレー２２２及び２２４並びに支持システム２６２は、上方及び下方クロスフロートレー２２及び２４並びに支持システム６２と概ね同じである。参照を容易にするために、前に数字「２」が付いた同じ参照番号を、図１〜４及び６〜８に示す同様の構成要素を参照するために図１０及び１１で使用してきた。
【００２９】
次に図１２及び１３を検討すると、支持システム６２を使用し得る中央ダウンカマーの他の実施形態が番号３４０によって指定される。中央ダウンカマー３４０は、ルーバー３９０（図１２）又は単純な開口部３９２（図１３）を収容するフロアプレート３８８で終わる傾斜したダウンカマー壁部３５２を有する。下側ブレース３６０は、ダウンカマー壁部３５２の間に延在するのではなく、フロアプレート３８８の下にあって、下側下方クロスフロートレー２２４のトレーデッキ２２６の入口領域２３８上のダウンカマー壁部３５２を支持する。他のあらゆる点において、上方クロスフロートレー３２２は、上方クロスフロートレー２２２と同一の構成であってよい。前に数字「２」ではなく「３」が付いた同じ参照番号を、図１０及び１１に示す同様の構成要素を参照するために使用してきた。
【００３０】
次に図１４を検討すると、隣接する上方及び下方クロスフロートレー４２２及び４２４の対が、対応する第１及び第２支持システム４６２及び５６２と共に示される。上方及び下方トレー４２２及び４２４並びに支持システム４６２及び５６２は、図１〜４及び６〜８に示す上方及び下方クロスフロートレー２２及び２４並びに支持システム６２と次の点で異なる。支持システム４６２及び５６２の水平に延在するビーム４６６及び５６６はまた、上下に長尺である。支持システム５６２のビーム５６６は、第２のトレーの対の下方トレー４２４の中央ダウンカマー４４０の壁部４５２の上端と同じ垂直高度か、又はわずかに下の垂直高度まで延在する。また図１４に示すように、長尺なビーム５６６は、さらに、ビーム５６６の長さに沿って所望の間隔で配置される、複数の横方向に離間した抜き孔５６７を含む。断面図では、多角形であるように示されるが、抜き孔５６７は、任意の寸法及び／又は形状であってよく、そのような抜き孔の数及び間隔は、具体的な用途に基づき決定することができる。
【００３１】
加えて、ビーム４６６及び５６６はそれぞれ、フォーム及び／又は重い泡を各中央ダウンカマー４４０内で制御するのを助けるための、支持ビーム４６６又は５６６の末端縁部又はその近傍に位置するナイフ縁部４６９を含む。支持システム４６２又は５６２のどちらも、下側の上方トレーと連結される一連の下方ブレース６０を含まない。したがって、図１４に示す実施形態では、各対の下方トレー４２４は、下側のトレーの対の上方トレー４２２に物理的に連結されていない。他のあらゆる点において、図１４に示す上方及び下方クロスフロートレー４２２及び４２４並びに支持システム４６２及び５６２の両方のセットは、上方及び下方クロスフロートレー２２及び２４並びに支持システム６２と概ね同じである。参照を容易にするために、前に数字「４」が付いた同じ参照番号を、図１〜４及び６〜８に示す同様の構成要素を参照するために図１４で使用してきた。
【００３２】
次に図１５を検討すると、隣接する上方及び下方クロスフロートレー６２２及び６２４の対、並びに第１及び第２支持システム６６２及び７６２が示され、図１４に示す隣接する上方及び下方クロスフロートレー４２２及び４２４の対、並びに支持システム４６２及び５６２と次の点で異なる。図１５に示すように、第１の支持システム６５２は、上方セットの上方クロスフロートレー６２２と下方クロスフロートレー６２４との間で少なくとも部分的に配置され、ダウンカマー６４０の延在方向に沿って配置された１つ以上のアンカータブを含む。アンカータブの各対は、互いに千鳥状に、中央ダウンカマー６４０の延在方向に配置された上方アンカータブ６５１及び下方アンカータブ６５３を含む。各対の上方アンカータブ６５１が、上方トレーデッキ６２６の下面に連結され、下方アンカータブ６５３は、隣接する対の下側の下方トレー６２２の上方トレーデッキ６２６の上面に連結される。
【００３３】
横断支持ビーム６７７は、各対の上方６５１と下方６５３アンカータブとの間に概ね斜めに延在する。アンカータブ６５１及び６５３の千鳥状配置のため、隣接する横断ビーム６７７は、概ね反対の斜めの方向に延在する。支持システム６５２の長尺な壁体部材６５４もまた、各対の上方アンカータブ６５３と連結され、通常、逆方向に延在する横断支持ビーム６７７の対の間に配置される。図１４に示す第２の支持システム７６２は、支持システム７６２がアンチジャンプバッフルを含まないこと以外は図２及び３に示す支持システム６２とほぼ同様である。他のあらゆる点において、上方及び下方クロスフロートレー６２２及び６２４は、第１及び第２支持システム６５２及び７５２と同様に、図１〜４及び６〜８に関して記載した同様の構成要素と同一の構成であってよい。前に数字「１」ではなく「６」が付いた同じ参照番号を、図１〜４及び６〜８に示す同様の構成要素を参照するために使用してきた。
【００３４】
発明は、下方クロスフロートレーの中央ダウンカマーに接続する支持システムに関して記載されてきたが、発明はまた、そのような支持システムをマルチパスクロスフロートレー内の中央ではなく中間のダウンカマーと共に使用することを含んでもよいことが理解されるべきである。
【００３５】
以上により、本発明は、その構造に対して固有である他の利点と共に上記目的及び目標を全て実現するようによく適合された発明であることがわかるであろう。
【００３６】
特定の機能及びサブコンビネーションは有用なものであり、他の機能及びサブコンビネーションに関係なく使用され得ることが理解されるだろう。これは本発明の範囲によって想到されるものであり、本発明の範囲内である。
【００３７】
本発明の範囲から逸脱することなく多くの考えられる実施形態が本発明から作られてよいため、本明細書に記載された又は添付図面に示された全ての事項は実例として解釈されるべきで、限定する趣旨ではないことが理解されるべきである。
【図１】
2015513468.tif 000003
【図２】
2015513468.tif 000004
【図３】
2015513468.tif 000005
【図４】
2015513468.tif 000006
【図５】
2015513468.tif 000007
【図６】
2015513468.tif 000008
【図７】
2015513468.tif 000009
【図８】
2015513468.tif 000010
【図９】
2015513468.tif 000011
【図１０】
2015513468.tif 000012
【図１１】
2015513468.tif 000013
【図１２】
2015513468.tif 000014
【図１３】
2015513468.tif 000015
【図１４】
2015513468.tif 000016
【図１５】
2015513468.tif 000017
【国際調査報告】
2015513468.tif 000018
2015513468.tif 000019